(57)【要約】【課題】ディスプレイの画面サイズに応じてオブジェクトを適切に実寸大表示させることが可能なコンテンツ配信装置および表示装置を提供する。【解決手段】コンテンツ配信装置２は、オブジェクトを含む画像データを取得する画像データ取得部４と、オブジェクトを表示すべきディスプレイのサイズを示す複数の想定ディスプレイサイズデータと、想定ディスプレイサイズデータに対応して設けられ、オブジェクトを実寸大で表示するための画像データの表示倍率を示す複数の表示倍率データと、想定ディスプレイサイズデータに対応して設けられ、画像データのうち、オブジェクトを表示すべきディスプレイの表示エリアの中心に位置させるべきデータを示す複数の表示中心位置データとを有する実寸法データを取得する実寸法データ取得部４１と、画像データと実寸法データを含むコンテンツを生成するコンテンツ生成部５とを備える。【選択図】図１
2010016713.tif 000002
【特許請求の範囲】
【請求項１】
オブジェクトを含む画像データを取得する画像データ取得部と、
前記オブジェクトを表示すべきディスプレイのサイズを示す複数の想定ディスプレイサイズデータと、前記想定ディスプレイサイズデータに対応して設けられ、前記オブジェクトを実寸大で表示するための前記画像データの表示倍率を示す複数の表示倍率データと、前記想定ディスプレイサイズデータに対応して設けられ、前記画像データのうち、前記オブジェクトを表示すべきディスプレイの表示エリアの中心に位置させるべきデータを示す複数の表示中心位置データとを有する実寸法データを取得する実寸法データ取得部と、
前記画像データ取得部によって取得された画像データと、前記実寸法データ取得部によって取得された実寸法データとを含むコンテンツを生成するコンテンツ生成部と、
前記コンテンツ生成部によって生成されたコンテンツを送信するコンテンツ送信部とを備えるコンテンツ配信装置。
【請求項２】
前記画像データは複数のオブジェクトを含み、
前記実寸法データは、前記オブジェクトごとに前記想定ディスプレイサイズデータと、前記表示倍率データと、前記中心表示位置データとを有する請求項１に記載のコンテンツ配信装置。
【請求項３】
オブジェクトを含む画像データと、前記オブジェクトを実寸大で表示するための実寸法データとを含み、前記実寸法データが、前記オブジェクトを表示すべきディスプレイのサイズを示す複数の想定ディスプレイサイズデータと、前記想定ディスプレイサイズデータに対応して設けられ、前記オブジェクトを実寸大で表示するための前記画像データの表示倍率を示す複数の表示倍率データと、前記想定ディスプレイサイズデータに対応して設けられ、前記画像データのうち、前記オブジェクトを表示すべきディスプレイの表示エリアの中心に位置させるべきデータを示す複数の中心表示位置データとを有するコンテンツを受信するコンテンツ受信部と、
前記コンテンツ受信部によって受信されたコンテンツに含まれるオブジェクトを表示すべき受信側ディスプレイのサイズを示す受信側ディスプレイサイズデータと、前記コンテンツ受信部によって受信されたコンテンツに含まれるオブジェクトを指定するための指定オブジェクトデータとを受けて、前記コンテンツ受信部によって受信されたコンテンツに含まれる実寸法データにおいて、複数の前記表示倍率データおよび複数の前記中心表示位置データの中から、前記受信側ディスプレイサイズデータの示すサイズと同じか、あるいは前記受信側ディスプレイサイズデータの示すサイズに最も近いサイズを示す前記想定ディスプレイサイズデータに対応し、かつ、前記指定オブジェクトデータによって指定された前記オブジェクトに対応する前記表示倍率データおよび前記中心表示位置データを選択する実寸法データ取得部と、
前記実寸法データ取得部によって選択された前記表示倍率データおよび前記中心表示位置データに基づいて、前記受信側ディスプレイにおける前記画像データの表示位置および表示倍率を調整する表示制御部とを備える表示装置。
【請求項４】
前記実寸法データ取得部は、前記コンテンツ受信部によって受信されたコンテンツに含まれる実寸法データにおいて、前記受信側ディスプレイサイズデータの示すサイズと同じサイズを示す前記想定ディスプレイサイズデータが存在しない場合には、複数の前記表示倍率データおよび複数の前記中心表示位置データの中から、前記受信側ディスプレイサイズデータの示すサイズに最も近いサイズを示す前記想定ディスプレイサイズデータを選択し、前記選択した想定ディスプレイサイズデータに対応し、かつ、前記指定オブジェクトデータによって指定された前記オブジェクトに対応する前記表示倍率データおよび前記中心表示位置データを選択し、さらに、前記受信側ディスプレイサイズデータおよび前記選択した前記想定ディスプレイサイズデータに基づいて、前記選択した前記表示倍率データを補正し、
前記表示制御部は、前記実寸法データ取得部によって選択された前記表示中心位置および前記補正された表示倍率データに基づいて、前記受信側ディスプレイにおける前記画像データの表示位置および表示倍率を調整する請求項３に記載の表示装置。
【請求項５】
前記実寸法データ取得部は、
前記受信側ディスプレイサイズデータを受ける受信側ディスプレイサイズ取得部と、
前記指定オブジェクトデータを受けることにより、前記コンテンツ受信部によって受信されたコンテンツに含まれる画像データにおけるオブジェクトの指定を受け付けるオブジェクト位置指定部とを含む請求項３に記載の表示装置。
【請求項６】
前記表示制御部は、前記受信側ディスプレイサイズデータの示すサイズが、前記実寸法データに含まれるすべての前記想定ディスプレイサイズデータの示すサイズよりも小さい場合には、所定のメッセージを前記受信側ディスプレイに表示する請求項３に記載の表示装置。
【請求項７】
前記表示制御部は、前記受信側ディスプレイサイズデータの示すサイズが、前記実寸法データに含まれるすべての前記想定ディスプレイサイズデータの示すサイズよりも小さい場合には、前記オブジェクトを実寸大で前記受信側ディスプレイに表示することを中止する請求項３に記載の表示装置。
【請求項８】
前記画像データは複数のオブジェクトを含み、
前記実寸法データは、前記オブジェクトごとに前記想定ディスプレイサイズデータと、前記表示倍率データと、前記中心表示位置データとを有する請求項３に記載の表示装置。
【発明の詳細な説明】
【技術分野】
【０００１】
本発明は、コンテンツ配信装置および表示装置に関し、特に、オブジェクトの実寸大表示を行なうためのコンテンツ配信装置および表示装置に関する。
【背景技術】
【０００２】
従来、実寸大で画像を表示する様々な方法が提案されてきた。たとえば、特許文献１には、以下のような構成が開示されている。すなわち、商品となる物体の撮像画面を送る送信側において、撮像面での実サイズ情報を計測し、商品となる物体の撮像出力と共に、この撮像面での実サイズ情報を送信する。受信側において、付加情報抽出回路により、実サイズ情報を抽出する。そして、ディスプレイのサイズ情報と、送られてきた撮像面での実サイズ情報とから、実サイズとなる拡大率または縮小率を算出する。算出された拡大率または縮小率に基づいて、拡大縮小回路によって再生画面を拡大または縮小して表示する。
【０００３】
また、特許文献２には、以下のような構成が開示されている。すなわち、送信側では、画像データと、当該画像データの中の複数のオブジェクトの寸法に関する実寸法データとを含むコンテンツを作成して送信する。このコンテンツには、実寸大表示におけるオブジェクトの中心表示位置を示す位置データが含まれる。受信側では、送信されたコンテンツを受信し、コンテンツに含まれる対応する実寸法データおよび位置データを用いることにより、指定されたオブジェクトが表示画面上で実寸大になるように表示倍率を調整した画像を表示する。
【０００４】
また、特許文献３には、以下のような構成が開示されている。すなわち、ファインダーフレームの実寸法に基づいたオブジェクトの実寸法データを含むコンテンツを受信し、受信されたコンテンツに含まれる画像データにおけるオブジェクトの指定を受け付け、受信されたコンテンツに含まれる実寸法データと表示画面の画面サイズデータとに基づいて、指定されたオブジェクトが表示画面上で実寸大になるように表示倍率を調整し、また、オブジェクトの所定位置が表示画面の中心となるように表示位置を調整した画像を表示する制御を行なう。
【特許文献１】特開２００２−１９９３５８号公報
【特許文献２】特開２００７−１７４１９２号公報
【特許文献３】特開２００７−１７８６４４号公報
【発明の開示】
【発明が解決しようとする課題】
【０００５】
ところで、配信されたコンテンツに含まれる画像を表示するディスプレイの画面サイズは様々であり、ディスプレイの画面サイズに応じて最適な画像表示を行なうことが好ましい。しかしながら、特許文献１〜３記載の構成では、コンテンツの受信側において画像の表示倍率を算出したり、オブジェクトの中心位置を指定したりする構成であるため、ディスプレイの画面サイズによっては、コンテンツ作成者の意図が反映されない場合があるという問題点がある。
【０００６】
それゆえに、本発明の目的は、ディスプレイの画面サイズに応じてオブジェクトを適切に実寸大表示させることが可能なコンテンツ配信装置および表示装置を提供することである。
【課題を解決するための手段】
【０００７】
上記課題を解決するために、本発明のある局面に係わるコンテンツ配信装置は、オブジェクトを含む画像データを取得する画像データ取得部と、オブジェクトを表示すべきディスプレイのサイズを示す複数の想定ディスプレイサイズデータと、想定ディスプレイサイズデータに対応して設けられ、オブジェクトを実寸大で表示するための画像データの表示倍率を示す複数の表示倍率データと、想定ディスプレイサイズデータに対応して設けられ、画像データのうち、オブジェクトを表示すべきディスプレイの表示エリアの中心に位置させるべきデータを示す複数の表示中心位置データとを有する実寸法データを取得する実寸法データ取得部と、画像データ取得部によって取得された画像データと、実寸法データ取得部によって取得された実寸法データとを含むコンテンツを生成するコンテンツ生成部と、コンテンツ生成部によって生成されたコンテンツを送信するコンテンツ送信部とを備える。
【０００８】
好ましくは、画像データは複数のオブジェクトを含み、実寸法データは、オブジェクトごとに想定ディスプレイサイズデータと、表示倍率データと、中心表示位置データとを有する。
【０００９】
上記課題を解決するために、本発明のある局面に係わる表示装置は、オブジェクトを含む画像データと、オブジェクトを実寸大で表示するための実寸法データとを含み、実寸法データが、オブジェクトを表示すべきディスプレイのサイズを示す複数の想定ディスプレイサイズデータと、想定ディスプレイサイズデータに対応して設けられ、オブジェクトを実寸大で表示するための画像データの表示倍率を示す複数の表示倍率データと、想定ディスプレイサイズデータに対応して設けられ、画像データのうち、オブジェクトを表示すべきディスプレイの表示エリアの中心に位置させるべきデータを示す複数の中心表示位置データとを有するコンテンツを受信するコンテンツ受信部と、コンテンツ受信部によって受信されたコンテンツに含まれるオブジェクトを表示すべき受信側ディスプレイのサイズを示す受信側ディスプレイサイズデータと、コンテンツ受信部によって受信されたコンテンツに含まれるオブジェクトを指定するための指定オブジェクトデータとを受けて、コンテンツ受信部によって受信されたコンテンツに含まれる実寸法データにおいて、複数の表示倍率データおよび複数の中心表示位置データの中から、受信側ディスプレイサイズデータの示すサイズと同じか、あるいは受信側ディスプレイサイズデータの示すサイズに最も近いサイズを示す想定ディスプレイサイズデータに対応し、かつ、指定オブジェクトデータによって指定されたオブジェクトに対応する表示倍率データおよび中心表示位置データを選択する実寸法データ取得部と、実寸法データ取得部によって選択された表示倍率データおよび中心表示位置データに基づいて、受信側ディスプレイにおける画像データの表示位置および表示倍率を調整する表示制御部とを備える。
【００１０】
好ましくは、実寸法データ取得部は、コンテンツ受信部によって受信されたコンテンツに含まれる実寸法データにおいて、受信側ディスプレイサイズデータの示すサイズと同じサイズを示す想定ディスプレイサイズデータが存在しない場合には、複数の表示倍率データおよび複数の中心表示位置データの中から、受信側ディスプレイサイズデータの示すサイズに最も近いサイズを示す想定ディスプレイサイズデータを選択し、選択した想定ディスプレイサイズデータに対応し、かつ、指定オブジェクトデータによって指定されたオブジェクトに対応する表示倍率データおよび中心表示位置データを選択し、さらに、受信側ディスプレイサイズデータおよび選択した想定ディスプレイサイズデータに基づいて、選択した表示倍率データを補正し、表示制御部は、実寸法データ取得部によって選択された表示中心位置および補正された表示倍率データに基づいて、受信側ディスプレイにおける画像データの表示位置および表示倍率を調整する。
【００１１】
好ましくは、実寸法データ取得部は、受信側ディスプレイサイズデータを受ける受信側ディスプレイサイズ取得部と、指定オブジェクトデータを受けることにより、コンテンツ受信部によって受信されたコンテンツに含まれる画像データにおけるオブジェクトの指定を受け付けるオブジェクト位置指定部とを含む。
【００１２】
好ましくは、表示制御部は、受信側ディスプレイサイズデータの示すサイズが、実寸法データに含まれるすべての想定ディスプレイサイズデータの示すサイズよりも小さい場合には、所定のメッセージを受信側ディスプレイに表示する。
【００１３】
好ましくは、表示制御部は、受信側ディスプレイサイズデータの示すサイズが、実寸法データに含まれるすべての想定ディスプレイサイズデータの示すサイズよりも小さい場合には、オブジェクトを実寸大で受信側ディスプレイに表示することを中止する。
【００１４】
好ましくは、画像データは複数のオブジェクトを含み、実寸法データは、オブジェクトごとに想定ディスプレイサイズデータと、表示倍率データと、中心表示位置データとを有する。
【発明の効果】
【００１５】
本発明によれば、簡易な構成で、オブジェクトを適切に実寸大表示させることができる。
【発明を実施するための最良の形態】
【００１６】
以下、本発明の実施の形態について図面を用いて説明する。なお、図中同一または相当部分には同一符号を付してその説明は繰り返さない。
【００１７】
図１は、本発明の実施の形態に係る実寸大表示システムの構成を示す機能ブロック図である。
【００１８】
図１を参照して、実寸大表示システム１は、コンテンツ配信装置２と、表示装置３とを備える。
【００１９】
［コンテンツ配信装置］
コンテンツ配信装置２は、たとえば、アナログ地上波放送、デジタル地上波放送、衛星放送およびケーブルテレビなどの放送局に設置される。また、コンテンツ配信装置２は、たとえば、インターネットのプロバイダならびに携帯機器およびモバイル機器等へのコンテンツを配信する配信局などに設置される。表示装置３は一般家庭などに設置される。
【００２０】
まず、コンテンツ配信装置２の構成について説明する。
コンテンツ配信装置２は、表示装置３へ送信するための画像データを取得する画像データ取得部４と、画像データ取得部４によって取得された画像データのうちの、オブジェクトを含む一部の画像データに関連付けられた実寸法データを取得する実寸法データ取得部４１と、画像データ取得部４によって取得された画像データと、実寸法データ取得部４１によって取得された実寸法データとを含む画像コンテンツを生成する画像コンテンツ生成部５と、画像コンテンツ生成部５によって生成された画像コンテンツを送信する画像コンテンツ送信部６とを備える。
【００２１】
ここで、画像データとは、オブジェクトを撮影した画像を表わすデータである。
また、オブジェクトとは、具体的な形をもって空間に存在する物体であり、画像において、背景およびオブジェクト以外の物体から独立して区別することが可能な物体である。たとえば、オブジェクトとしては、人物、動植物、車両、家具、食器小物、建築物および美術品など、具体的な形をもって空間に存在する各種の物体が挙げられる。オブジェクトは、移動可能なものであってもよいし、不動なものであってもよい。
【００２２】
また、実寸法データとは、画像データに含まれる複数のオブジェクトを、物理的な実際の大きさと同じ大きさでディスプレイに表示する際に必要なデータである。実寸法データは、想定ディスプレイサイズごと、かつオブジェクトごとに必要な表示倍率データおよび中心表示位置データなどのデータの集まりである。実寸法データには、複数の想定ディスプレイサイズデータと、各想定ディスプレイサイズデータに対応する表示倍率データおよび中心表示位置データとが含まれる。
【００２３】
また、表示倍率データおよび中心表示位置データは、実寸大表示したいオブジェクトの数だけ実寸法データに含ませることができる。
【００２４】
ここで、想定ディスプレイサイズデータとは、画像データ内の対象のオブジェクトを表示すべきディスプレイの画面サイズ、たとえば画面の対角インチなどを示すデータである。
【００２５】
また、表示倍率データとは、対象のオブジェクトを実寸大で表示するために、想定ディスプレイサイズデータが示すサイズのディスプレイ上で画像データをどれくらいの大きさで表示するかを表わすデータである。より詳細には、表示倍率データは、ディスプレイに全画面表示した画像の大きさを基準とした拡大縮小率である。
【００２６】
また、中心表示位置データとは、対象のオブジェクトを実寸大で表示する際に、ディスプレイに表示する画像の中心位置を示す位置データである。すなわち、中心表示位置データは、画像データのうち、ディスプレイの画像表示エリアの中心に位置させるべきデータを示す。
【００２７】
次に、コンテンツ配信装置２の動作について詳細に説明する。
まず、外部からオブジェクトを含む画像データが画像データ取得部４へ入力される。画像データ取得部４は、外部から受けた画像データを画像コンテンツ生成部５へ出力する。
【００２８】
ここで、画像データ取得部４へ入力される画像データは、たとえば、テレビ局のスタジオに設置されたカメラ、中継現場などに持ち込まれたカメラ、ドラマおよび映画の撮影に用いるカメラ、個人所有のスチルカメラおよびビデオカメラ、カメラ機能付きの携帯型電話機、パーソナルコンピュータ用のＷＥＢカメラ、ならびに業務用の監視カメラなどにより撮影された画像を表わすデータである。
【００２９】
実寸法データ取得部４１は、画像データ取得部４によって取得された画像データ７に対応する実寸法データを取得し、画像コンテンツ生成部５へ出力する。
【００３０】
画像コンテンツ生成部５は、画像データ取得部４から画像データを受けるとともに、実寸法データ取得部４１から対応の実寸法データを受ける。
【００３１】
図２は、オブジェクトを２つ含む画像データの一例を示す図である。
図２を参照して、画像データ取得部４は、たとえば、走る人間を示すオブジェクト８と、走る犬を示すオブジェクト９とを含む画像データ７を取得する。
【００３２】
次に、この実寸法データの内容および実寸法データの作成方法について、図面を用いて詳細に説明する。
【００３３】
図３は、実寸法データの構成の一例を示す図である。
図３を参照して、実寸法データ１０は、想定ディスプレイサイズデータＤ１を含むデータ１１と、想定ディスプレイサイズデータＤ２を含むデータ１２とを含む。なお、実寸法データ１０は、想定ディスプレイサイズデータをいくつ含んでもよいが、ここでは、説明の簡略化のため実寸法データ１０が２つの想定ディスプレイサイズデータを含むと仮定して説明する。
【００３４】
データ１１は、想定ディスプレイサイズデータＤ１に加えて、データ１３および１４を含む。データ１３は、オブジェクト８を実寸大表示するために必要な表示倍率データＲ１１および中心表示位置データＰ１１を含む。データ１４は、オブジェクト９を実寸大表示するために必要な表示倍率データＲ１２および中心表示位置データＰ１２を含む。
【００３５】
次に、図３に示す実寸法データの作成方法について説明する。
まず、オブジェクト８を実寸大で表示するための表示倍率データＲ１１および中心表示位置データＰ１１を求める方法について説明する。ここでは、外部モニタに表示された画像データのオブジェクトのサイズが実寸よりも小さい場合について説明する。
【００３６】
図４は、オブジェクト８を実寸大表示した状態の一例を示す図である。
ユーザは、画像データ７を外部のパーソナルコンピュータおよびモニタを用いて表示し、表示された画像データ７に基づいて、外部モニタ上で実寸大表示したいオブジェクト８の大きさを変更する。
【００３７】
たとえば、外部モニタのサイズを対角１００インチとすると、ユーザは実際にこの１００インチの外部モニタに映した画像を見ながらオブジェクト８が実寸大となるように画像データ７を拡大または縮小する。
【００３８】
図４を参照して、点線１７が外部モニタの表示エリアである。ここでは、ユーザが、画像データ７を外部モニタにおいて全画面表示したところ、オブジェクト８が実寸大より小さかったため、画像データ７を拡大した状態を示している。
【００３９】
画像データ７を拡大した後、ユーザが画面をスクロールすることによって点線１７の位置を変更し、モニタ画面内のオブジェクト８の位置決めを行なう。
【００４０】
ユーザは、オブジェクト８の位置決めを行なった後、想定ディスプレイサイズデータ、表示倍率データおよび中心表示位置データをパーソナルコンピュータから画像コンテンツ生成部５に送信する。
【００４１】
たとえば、外部モニタのサイズである１００インチが想定ディスプレイサイズデータＤ１として出力され、このときの画像データ７の拡大縮小率が表示倍率データＲ１１として出力され、さらに、外部モニタの表示エリアの中心位置１８と重なる画像データ７内のデータの座標が中心表示位置データＰ１１として出力される。
【００４２】
次に、オブジェクト９を実寸大で表示するための表示倍率データＲ１２および中心表示位置データＰ１２とを求める方法について説明する。
【００４３】
図５は、オブジェクト９を実寸大表示した状態の一例を示す図である。ここでは、外部モニタのサイズを対角１００インチとする。
【００４４】
図４のオブジェクト８の説明と同様に、ユーザは実際にこの１００インチの外部モニタに映した画像を見ながらオブジェクト９が実寸大となるように画像データ７を拡大または縮小する。
【００４５】
図５を参照して、点線１９が外部モニタの表示エリアである。ここでは、ユーザが、画像データ７を外部モニタにおいて全画面表示したところ、オブジェクト９が実寸大より小さかったため、画像データ７を拡大した状態を示している。
【００４６】
画像データ７を拡大した後、ユーザが画面をスクロールすることによって点線１９の位置を変更し、モニタ画面内のオブジェクト９の位置決めを行なう。
【００４７】
ユーザは、オブジェクト９の位置決めを行なった後、想定ディスプレイサイズデータ、表示倍率データおよび中心表示位置データをパーソナルコンピュータから画像コンテンツ生成部５に送信する。
【００４８】
たとえば、外部モニタのサイズである１００インチが想定ディスプレイサイズデータＤ１として出力され、このときの画像データ７の拡大縮小率が表示倍率データＲ１２として出力され、さらに、外部モニタの表示エリアの中心位置２０と重なる画像データ７内のデータの座標が中心表示位置データＰ１２として出力される。
【００４９】
次に、外部モニタのサイズが対角１００インチとは異なる対角４０インチの場合における、実寸法データの内容および実寸法データの作成方法について説明する。
【００５０】
図６は、オブジェクト８を実寸大表示した状態の一例を示す図である。
ユーザは実際にこの４０インチの外部モニタに映した画像を見ながらオブジェクト８が実寸大となるように画像データ７を拡大または縮小する。
【００５１】
図６を参照して、点線２１が外部モニタの表示エリアである。ここでは、ユーザが、画像データ７を外部モニタにおいて全画面表示したところ、実寸大より小さかったため、画像データ７を拡大した状態を示している。
【００５２】
画像データ７を拡大した後、ユーザが画面をスクロールすることによって点線２１の位置を変更し、モニタ画面内のオブジェクト８の位置決めを行なう。
【００５３】
ユーザは、オブジェクト８の位置決めを行なった後、想定ディスプレイサイズデータ、表示倍率データおよび中心表示位置データをパーソナルコンピュータから画像コンテンツ生成部５に送信する。
【００５４】
たとえば、外部モニタのサイズである４０インチが想定ディスプレイサイズデータＤ２として出力され、このときの画像データ７の拡大縮小率が表示倍率データＲ２１として出力され、さらに、外部モニタの表示エリアの中心位置２２と重なる画像データ７内のデータの座標が中心表示位置データＰ２１として出力される。
【００５５】
次に、オブジェクト９を実寸大で表示するための表示倍率データＲ２２および中心表示位置データＰ２２とを求める方法について説明する。
【００５６】
図７は、オブジェクト９を実寸大表示した状態の一例を示す図である。ここでは、外部モニタのサイズを４０インチとする。
【００５７】
図６のオブジェクト８の説明と同様に、ユーザは実際にこの４０インチの外部モニタに映した画像を見ながらオブジェクト９が実寸大となるように画像データ７を拡大または縮小する。
【００５８】
図７を参照して、点線２３が外部モニタの表示エリアである。ここでは、ユーザが、画像データ７を外部モニタにおいて全画面表示したところ、オブジェクト９が実寸大より小さかったため、画像データ７を拡大した状態を示している。
【００５９】
画像データ７を拡大した後、ユーザが画面をスクロールすることによって点線２３の位置を変更し、モニタ画面内のオブジェクト９の位置決めを行なう。
【００６０】
ユーザは、オブジェクト９の位置決めを行なった後、想定ディスプレイサイズデータ、表示倍率データおよび中心表示位置データをパーソナルコンピュータから画像コンテンツ生成部５に送信する。
【００６１】
たとえば、外部モニタのサイズである４０インチが想定ディスプレイサイズデータＤ２として出力され、このときの画像データ７の拡大縮小率が表示倍率データＲ２２として出力され、さらに、外部モニタの表示エリアの中心位置２４と重なる画像データ７内のデータの座標が中心表示位置データＰ２２として出力される。
【００６２】
このようにして、実寸法データは、図３に示すような構成となる。すなわち、データ１２は、想定ディスプレイサイズデータＤ２に加えて、データ１５および１６を含む。データ１５は、オブジェクト８を実寸大表示するために必要な表示倍率データＲ２１および中心表示位置データＰ２１とを含む。データ１６は、オブジェクト９を実寸大表示するために必要な表示倍率データＲ２２および中心表示位置データＰ２２とを含む。
【００６３】
次に、外部モニタに表示された画像データのオブジェクトのサイズが実寸よりも大きい場合について説明する。
【００６４】
図８は、オブジェクト８を実寸大表示した状態の一例を示す図である。ここでは、外部モニタのサイズを対角２００インチとする。
【００６５】
ユーザは実際にこの２００インチの外部モニタに映した画像を見ながらオブジェクト８が実寸大となるように画像データ７を拡大または縮小する。
【００６６】
図８を参照して、点線２５が外部モニタの表示エリアである。ここでは、ユーザが、画像データ７を外部モニタにおいて全画面表示したところ、オブジェクト８が実寸大より大きかったため、画像データ７を縮小した状態を示している。
【００６７】
画像データ７を縮小した後、ユーザが画面をスクロールすることによって点線２５の位置を変更し、モニタ画面内のオブジェクト８の位置決めを行なう。
【００６８】
ここでは、画像データ７を縮小して外部モニタに表示しているため、外部モニタには画像データ７のすべての領域が表示される。よって、ユーザは特にオブジェクト８の位置決めを行なう必要がない。この場合、外部モニタの表示エリアの中心位置２６に位置させるべき中心表示位置データを、画像データ７の中心座標としてもよい。
【００６９】
ユーザは、オブジェクト８の位置決めを行なった後、想定ディスプレイサイズデータ、表示倍率データおよび中心表示位置データをパーソナルコンピュータから画像コンテンツ生成部５に送信する。
【００７０】
このようにして、画像データおよび実寸法データが画像コンテンツ生成部５へ入力される。
【００７１】
なお、ここでは、コンテンツ配信装置２の外部にモニタおよびパーソナルコンピュータを設置し、これらを用いてユーザが実寸法データを生成する方法について説明したが、これに限定するものではない。コンテンツ配信装置２内に、上記のパーソナルコンピュータと同じ動作をする実寸法データ生成部を設け、この実寸法データ生成部が実寸法データを生成する構成であってもよい。
【００７２】
図９は、画像コンテンツ生成部５の構成を示す機能ブロック図である。
図９を参照して、画像コンテンツ生成部５は、画像データ符号化部２７と、多重化部２８とを含む。
【００７３】
画像データ符号化部２７は、画像データ取得部４から受けた画像データを符号化し、符号化したデータを多重化部２８へ出力する。画像データ符号化部２７は、画像データ符号化に広く使われる汎用的なエンコーダである。画像データ符号化部２７が採用する符号化方式としては、たとえば、ＭＰＥＧ（Moving Picture Coding Experts Group）−２、Ｈ．２６４、ＪＰＥＧ（Joint Photographic Experts Group）およびＪＰＥＧ２０００などがある。
【００７４】
多重化部２８は、画像データ符号化部２７から符号化データを受け、かつ実寸法データ取得部４１から実寸法データを受けて、符号化データおよび実寸法データを含んだ画像符号化データを画像コンテンツとして画像コンテンツ送信部６へ出力する。
【００７５】
図１０は、画像符号化データの一例を示す図である。
図１０を参照して、画像符号化データは、ヘッダ２９および符号化データ３０から構成される。実寸法データ１０は、多重化部２８によってヘッダ２９に含まれるように多重化される。
【００７６】
画像コンテンツ送信部６は、多重化部２８から受けた画像符号化データを画像コンテンツとして送信する。
【００７７】
たとえば、コンテンツ配信装置２は、アナログおよびデジタル地上波放送、衛星放送、ケーブルテレビ、インターネット、ならびに携帯およびモバイル等の画像コンテンツとして、実寸法データを含んだ画像符号化データを配信する。
【００７８】
図１１は、本発明の実施の形態に係るコンテンツ配信装置が画像コンテンツを生成して配信する際の動作手順を定めたフローチャートである。コンテンツ配信装置２は、フローチャートの各ステップを備えるプログラムを図示しないメモリから読み出して実行する。このプログラムは、外部からインストールすることができる。
【００７９】
図１１を参照して、まず、ユーザは、カメラ等によって撮影された画像を外部モニタに表示する（ステップＳ１）。
【００８０】
次に、ユーザは、外部モニタに表示した画像を見ながら対象オブジェクトが実寸大となるように画像を拡大または縮小する（ステップＳ２）。
【００８１】
次に、ユーザは、画像を拡大または縮小した後、外部モニタの画面をスクロールすることによってモニタ画面内の対象オブジェクトの位置決めを行なう（ステップＳ３）。
【００８２】
次に、コンテンツ配信装置２は、画像データと、ユーザによって外部のパーソナルコンピュータから送信された対応の実寸法データとを取得する（ステップＳ４）。
【００８３】
次に、コンテンツ配信装置２は、画像データおよび実寸法データから画像コンテンツを生成する（ステップＳ５）。
【００８４】
次に、コンテンツ配信装置２は、生成した画像コンテンツを表示装置３へ送信する（ステップＳ６）。
【００８５】
［表示装置３］
次に、表示装置３の構成について図１を参照して説明する。
【００８６】
表示装置３は、画像コンテンツ受信部３１と、実寸法データ取得部３２と、表示制御部３３と、受信側ディスプレイ４２とを備える。
【００８７】
画像コンテンツ受信部３１は、コンテンツ配信装置２が配信した画像コンテンツを受信する。
【００８８】
実寸法データ取得部３２は、画像コンテンツ受信部３１によって受信された画像コンテンツと、この画像コンテンツの表示に用いる受信側ディスプレイ４２のサイズを示す受信側ディスプレイサイズデータと、受信された画像コンテンツに含まれる画像データ内のオブジェクトを指定するためのオブジェクト指定データとを受ける。
【００８９】
実寸法データ取得部３２は、画像コンテンツに含まれる実寸法データ内の複数の想定ディスプレイサイズデータのうち、受信側ディスプレイサイズデータが示すサイズと同じであるか最も近いサイズを示す想定ディスプレイサイズデータを選択する。
【００９０】
そして、実寸法データ取得部３２は、画像コンテンツに含まれる実寸法データ内の複数の表示倍率データおよび複数の中心表示位置データのうち、選択した想定ディスプレイサイズデータと、オブジェクト指定データで指定されたオブジェクト（以下、「指定オブジェクト」とも称する。）とに対応する表示倍率データおよび中心表示位置データを選択して出力する。
【００９１】
表示制御部３３は、実寸法データ取得部３２から受けた表示倍率データおよび中心表示位置データに基づいて、指定オブジェクトが受信側ディスプレイ４２の画面上で実寸大になるように、表示位置および表示倍率を調整した画像を受信側ディスプレイ４２に表示する。
【００９２】
次に、表示装置３の動作について詳細に説明する。
まず、画像コンテンツ受信部３１は、コンテンツ配信装置２から配信された画像コンテンツである画像符号化データを受信し、受信した画像符号化データを実寸法データ取得部３２へ出力する。
【００９３】
実寸法データ取得部３２は、画像コンテンツ受信部３１から画像符号化データを受けるとともに、外部からユーザにより、受信側ディスプレイサイズデータおよびオブジェクト指定データを受ける。
【００９４】
図１２は、実寸法データ取得部３２の構成を示すブロック図である。
図１２を参照して、実寸法データ取得部３２は、逆多重化部３４と、オブジェクト位置指定部３５と、復号部３６と、受信側ディスプレイサイズ取得部３７とを備える。
【００９５】
逆多重化部３４は、画像コンテンツ受信部３１から画像符号化データを受けて、この画像符号化データに対して逆多重化を行なう。すなわち、逆多重化部３４は、画像符号化データをヘッダ２９と符号化データ３０とに分離し、ヘッダ２９はオブジェクト位置指定部３５へ出力し、符号化データ３０は復号部３６へ出力する。
【００９６】
復号部３６は、逆多重化部３４から受けた符号化データから画像データを復号し、表示制御部３３およびオブジェクト位置指定部３５へ出力する。ここで、復号部３６は、画像の符号化データを復号するための汎用的なデコーダである。復号部３６は、たとえば、ＭＰＥＧ−２、Ｈ．２６４、ＪＰＥＧおよびＪＰＥＧ２０００などの規格に従うデコーダである。
【００９７】
受信側ディスプレイサイズ取得部３７は、実寸法データ取得部３２が画像符号化データを受けると、受信側ディスプレイ４２のサイズを示す受信側ディスプレイサイズデータを取得し、オブジェクト位置指定部３５へ出力する。このときの受信側ディスプレイサイズデータは、ユーザが、外部から表示装置３に受信側ディスプレイサイズデータを入力することにより取得される。表示装置３に入力された受信側ディスプレイサイズデータは、表示装置３が含む図示しないメモリなどに保存される。受信側ディスプレイサイズ取得部３７は、このメモリに受信側ディスプレイサイズデータが保存されている場合には、ユーザによる入力の代わりに、このメモリから受信側ディスプレイサイズデータを取得する構成であってもよい。
【００９８】
オブジェクト位置指定部３５は、逆多重化部３４からのヘッダと、受信側ディスプレイサイズ取得部３７からの受信側ディスプレイサイズデータと、復号部３６で復号された画像データとを受ける。
【００９９】
オブジェクト位置指定部３５は、ヘッダ内の実寸法データに含まれる想定ディスプレイサイズデータのうち、受信側ディスプレイサイズに等しいサイズを示す想定ディスプレイサイズデータを選択し、選択した想定ディスプレイサイズデータに対応する表示倍率データおよび中心表示位置データを選択する。
【０１００】
ここで、画像データ内に複数のオブジェクトが存在する場合、選択した想定ディスプレイサイズデータに対応する表示倍率データおよび中心表示位置データの組は、オブジェクトの数だけ存在する。この場合、表示装置３は、オブジェクト位置指定部３５が出力する表示倍率データおよび中心表示位置データの組をユーザに提示する。ユーザは、指定オブジェクトデータを表示装置３に入力することにより、実寸大を知りたい物体（オブジェクト）を選択する。すなわち、ユーザは、どのオブジェクトに対応する表示倍率データおよび中心表示位置データの組を表示制御部３３へ出力するかを表示装置３に対して指定する。
【０１０１】
たとえば、表示装置３は、選択候補となる複数の中心表示位置データをユーザに提示するために、復号部３６から受けた画像データをサムネイル表示して、中心表示位置データが示す位置に相当する、サムネイル内での位置を赤い点で表示してもよい。また、画像データの全体と、実寸大表示される画像データ内のエリアを囲む枠とを表示してもよい。実寸大表示される画像データ内のエリアは、中心表示位置データおよび表示倍率データから求めることができる。
【０１０２】
オブジェクト位置指定部３５は、選択した想定ディスプレイサイズデータに対応する表示倍率データおよび中心表示位置データの組のうち、指定されたオブジェクトに対応する表示倍率データおよび中心表示位置データを選択し、表示制御部３３へ出力する。
【０１０３】
以上のようにして、実寸法データ取得部３２は、表示倍率データおよび中心表示位置データ、ならびに画像データを表示制御部３３へ出力する。
【０１０４】
また、オブジェクト位置指定部３５は、ヘッダ内の実寸法データに含まれる想定ディスプレイサイズデータのうち、受信側ディスプレイサイズに等しいサイズを示す想定ディスプレイサイズデータが存在しない場合には、受信側ディスプレイサイズに最も近いサイズを表わす想定ディスプレイサイズデータを選択する。そして、オブジェクト位置指定部３５は、選択した想定ディスプレイサイズデータに対応する表示倍率データおよび中心表示位置データを選択し、表示制御部３３へ出力する。
【０１０５】
具体的には、オブジェクト位置指定部３５は、受信側ディスプレイサイズが５０インチであり、４０インチおよび６０インチの想定ディスプレイサイズデータが存在する場合には、サイズの小さいほうである４０インチの想定ディスプレイサイズデータに対応する表示倍率および中心表示位置データを選択する。
【０１０６】
なお、オブジェクト位置指定部３５は、選択した中心表示位置データに対応する表示倍率データに対して、ディスプレイのサイズの違いに基づく補正を行ない、補正した表示倍率データを表示制御部３３へ出力する構成であってもよい。
【０１０７】
たとえば、４０インチの想定ディスプレイサイズに対応する表示倍率を１とし、受信側ディスプレイサイズが５０インチのときの表示倍率をｒとすると、両者の比は１：ｒ＝４０：５０となり、ｒの値はｒ＝１×５０／４０＝１．２５となる。
【０１０８】
すなわち、オブジェクト位置指定部３５は、５０インチの受信側ディスプレイサイズに対応する中心表示位置データおよび表示倍率データとして、４０インチの想定ディスプレイサイズデータに対応する中心表示位置データと、上記補正を行なった表示倍率データである１．２５とを表示制御部３３へ出力する。
【０１０９】
このようにして、実寸法データ取得部３２は、表示倍率データを補正し、中心表示位置データおよび補正した表示倍率データ、ならびに画像データを表示制御部３３へ出力する。
【０１１０】
なお、オブジェクト位置指定部３５は、ヘッダ内の実寸法データに含まれる想定ディスプレイサイズデータのうち、受信側ディスプレイサイズに等しいサイズを表わす想定ディスプレイサイズデータが存在しない場合には、受信側ディスプレイサイズに最も近いサイズを表わす想定ディスプレイサイズデータを選択する構成であるとしたが、これに限定するものではない。受信側ディスプレイ４２の画面サイズが、実寸法データ内に存在する複数の想定ディスプレイサイズデータが示すサイズの最小値よりもさらに小さい場合には、表示制御部３３は、その旨をユーザに通知するためのメッセージを受信側ディスプレイ４２に表示して、オブジェクトの実寸大表示を中止する構成であってもよい。
【０１１１】
再び図１を参照して、表示制御部３３は、実寸法データ取得部３２から出力された画像データ、中心表示位置データおよび表示倍率データを受ける。そして、表示制御部３３は、受信側ディスプレイ４２の画像表示エリアの中心と、画像データの中心表示位置データが示す座標とが一致するように画像データを配置し、かつ表示倍率データに基づいて画像データを拡大または縮小することにより、画像データを受信側ディスプレイ４２に表示する制御を行なう。
【０１１２】
なお、表示制御部３３は、上記オブジェクトの実寸大表示と並行して、受信側ディスプレイ４２の画面上に別のウインドウを設け、この別ウインドウに元の画像データの全体を表示する。そして、全体表示された画像のうち、拡大または縮小して実寸大表示されている領域を囲む枠を表示してもよい。また、この別ウインドウに表示される画像データは、元の画像データを縮小表示したサムネイル画像であってもよい。
【０１１３】
図１３は、本発明の実施の形態に係る表示装置が対象オブジェクトを実寸大表示する際の動作手順を定めたフローチャートである。表示装置３は、フローチャートの各ステップを備えるプログラムを図示しないメモリから読み出して実行する。このプログラムは、外部からインストールすることができる。
【０１１４】
図１３を参照して、まず、表示装置３は、コンテンツ配信装置２から画像コンテンツを受信する。また、表示装置３は、ユーザによって外部から受信側ディスプレイサイズデータおよびオブジェクト指定データを取得する（ステップＳ１１）。
【０１１５】
次に、表示装置３は、画像コンテンツから画像データおよび実寸法データを取得する（ステップＳ１２）。
【０１１６】
次に、表示装置３は、受信側ディスプレイサイズデータが示すサイズと等しいサイズを示す想定ディスプレイサイズデータが実寸法データ中に存在する場合には（ステップＳ１３でＹＥＳ）、受信側ディスプレイサイズと等しいサイズを示す想定ディスプレイサイズデータに対応する表示倍率データおよび中心表示位置データを選択する（ステップＳ１４）。
【０１１７】
次に、表示装置３は、選択した表示倍率データおよび中心表示位置データ、ならびにオブジェクト指定データに基づいて、画像データの拡大または縮小と、画像データの配置とを行なうことにより、指定オブジェクトの実寸大表示を行なう（ステップＳ１５）。
【０１１８】
一方、表示装置３は、受信側ディスプレイサイズデータが示すサイズと等しいサイズを示す想定ディスプレイサイズデータが実寸法データ中に存在しない場合であって（ステップＳ１３でＮＯ）、受信側ディスプレイサイズよりも実寸法データ中の想定ディスプレイサイズデータが示すサイズの最小値が大きい場合には（ステップＳ１６でＹＥＳ）、受信側ディスプレイサイズに最も近いサイズを示す想定ディスプレイサイズデータに対応する表示倍率データおよび中心表示位置データを選択する（ステップＳ１７）。
【０１１９】
次に、表示装置３は、選択した中心表示位置データに対応する表示倍率データに対して、ディスプレイのサイズの違いに基づく補正を行なう（ステップＳ１８）。
【０１２０】
次に、表示装置３は、選択した中心表示位置データ、補正した表示倍率データ、およびオブジェクト指定データに基づいて、画像データの拡大または縮小と、画像データの配置とを行なうことにより、指定オブジェクトの実寸大表示を行なう（ステップＳ１５）。
【０１２１】
一方、表示装置３は、受信側ディスプレイサイズデータが示すサイズと等しいサイズを示す想定ディスプレイサイズデータが実寸法データ中に存在しない場合であって（ステップＳ１３でＮＯ）、受信側ディスプレイサイズよりも実寸法データ中の想定ディスプレイサイズデータが示すサイズの最小値が小さい場合には（ステップＳ１６でＮＯ）、その旨をユーザに通知するためのメッセージを受信側ディスプレイ４２に表示して、オブジェクトの実寸大表示を中止する（ステップＳ１９）。
【０１２２】
以上のように、本発明の実施の形態に係る実寸大表示システムは、画像データおよび実寸法データを受けて、実寸法データを含んだ画像符号化データを生成して配信するコンテンツ配信装置２を備える。また、コンテンツ配信装置２から配信された画像符号化データと、外部から受けた受信側ディスプレイサイズデータおよび指定オブジェクトデータとに基づいて、画像符号化データ内の実寸法データにおける表示倍率データおよび中心表示位置データを選択する表示装置３を備える。このような構成により、指定オブジェクトの実寸大表示を実現することができる。
【０１２３】
次に、本発明の実施の形態に係る実寸大表示システムが扱う画像コンテンツを放送番組に適用した例について説明する。
【０１２４】
図１４は、放送コンテンツにおける実寸法データの伝送例を示す図である。
図１４を参照して、放送衛星などから放送コンテンツが受信機へ伝送される。ここで、放送コンテンツは、各番組を構成する複数の画像データと、各画像データに対応する番組配列情報とから構成される。ここで、画像コンテンツ生成部５が生成する画像符号化データの全部または一部がこの画像データに相当する。そして、この番組配列情報内に実寸法データが含まれるように放送コンテンツを作成する。なお、番組配列情報は、受信機へ繰り返し伝送してもよい。
【０１２５】
このように、番組配列情報内に実寸法データを含むような構成にすることにより、受信機において、シーンごとに実寸大表示を行なうか否かを切り替えることができる。
【０１２６】
ところで、特許文献１〜３記載の構成では、ディスプレイの画面サイズによっては、コンテンツ作成者の意図が反映されない場合があるという問題点がある。すなわち、特許文献１〜３記載の構成では、実寸大で表示すべきオブジェクトの大きさがディスプレイの表示画面のサイズよりも大きい場合には、オブジェクトの一部のみがディスプレイに表示されるため、オブジェクトのうち実寸大で表示したい領域がディスプレイに表示されない場合があるという問題点がある。
【０１２７】
しかしながら、本発明の実施の形態に係るコンテンツ配信装置および表示装置では、実寸法データは、オブジェクトを表示すべきディスプレイのサイズを示す複数の想定ディスプレイサイズデータと、想定ディスプレイサイズデータに対応して設けられ、オブジェクトを実寸大で表示するための画像データの表示倍率を示す複数の表示倍率データと、想定ディスプレイサイズデータに対応して設けられ、画像データのうち、オブジェクトを表示すべきディスプレイの表示エリアの中心に位置させるべきデータを示す複数の中心表示位置データとを有する。このような構成により、表示装置３において、オブジェクトを実寸大表示するための受信側ディスプレイ４２のサイズに応じて、コンテンツ作成者の意図を反映した最適な画像表示を行なうことができる。したがって、本発明の実施の形態に係るコンテンツ配信装置および表示装置では、ディスプレイの画面サイズに応じてオブジェクトを適切に実寸大表示させることができる。
【０１２８】
また、特許文献１記載の構成では、撮像画面を送る送信側において指定された物体のみが実寸大で表示されるため、画像を視聴するユーザ（視聴者）が、実寸大を知りたい物体を選択することができないという問題点がある。しかしながら、本発明の実施の形態に係るコンテンツ配信装置および表示装置では、実寸法データは、オブジェクトごとに想定ディスプレイサイズデータと、表示倍率データと、中心表示位置データとを有する。そして、実寸法データ取得部３２は、オブジェクトを表示すべき受信側ディスプレイ４２のサイズを示す受信側ディスプレイサイズデータと、画像コンテンツ受信部３１によって受信された画像コンテンツに含まれるオブジェクトを指定するための指定オブジェクトデータとを受ける。そして、実寸法データ取得部３２は、画像コンテンツ受信部３１によって受信されたコンテンツに含まれる実寸法データにおいて、複数の表示倍率データおよび複数の中心表示位置データの中から、受信側ディスプレイサイズデータの示すサイズと同じか、あるいは受信側ディスプレイサイズデータの示すサイズに最も近いサイズを示す想定ディスプレイサイズデータに対応し、かつ、指定オブジェクトデータによって指定されたオブジェクトに対応する表示倍率データおよび中心表示位置データを選択する。このような構成により、実寸大表示をしたいオブジェクトを選択し、かつディスプレイの画面サイズに応じてオブジェクトを適切に実寸大表示させることができる。また、複数のオブジェクトまたは各ショットに対応した実寸大表示を行なうことができる。
【０１２９】
また、特許文献３記載の構成では、オブジェクトの実寸法データと、表示する画面サイズとを比較して、オブジェクトを実寸大で表示するための拡大率または縮小率を算出し、オブジェクトを拡大または縮小する必要があること、およびオブジェクトの実寸法データとして、オブジェクトを含むファインダーフレームの高さなどのデータを求めて伝送する必要があることから、手順が煩雑となるという問題点がある。
【０１３０】
しかしながら、本発明の実施の形態に係る実寸大表示システムが取り扱う実寸法データは、想定ディスプレイサイズデータごとに、表示倍率データおよび中心表示位置データを有する。このような構成により、オブジェクトの画像内における物理的な実際の高さおよび幅などの寸法ならびにシェイプなどがなくても、簡単な構成で、複雑な計算なども不要で、かつディスプレイのサイズにもよらず、オブジェクトの実寸大表示を行なうことができる。
【０１３１】
また、特許文献１および３記載の構成では、撮像画面を送る送信側において指定された物体が一様に実寸大で表示されるため、たとえば、ユーザがサイズの小さいディスプレイを用いているために画面よりオブジェクトが大きくなる場合、物体の周囲の画像を見ることができず、元の画像のどの部分が表示されているかが不明であり、応用性に欠けるという問題点がある。
【０１３２】
しかしながら、本発明の実施の形態に係る実寸大表示システムでは、表示装置３は、実寸大表示されている画像データとともに元の画像データをサムネイル表示し、そのサムネイルの中で、現在実寸大表示されているエリアを囲む枠を表示する。このような構成により、ユーザがサイズの小さいディスプレイを用いているために画面よりオブジェクトが大きくなる場合であっても、ユーザは、指定したオブジェクトの周囲の画像も同時に見ることができ、元の画像のどの部分が表示されているかをユーザに提示することができる。
【０１３３】
また、本発明の実施の形態に係る実寸大表示システムでは、表示制御部３３は、受信側ディスプレイ４２の画面サイズが、実寸法データ内に存在する複数の想定ディスプレイサイズデータが示すサイズの最小値よりもさらに小さい場合には、その旨をユーザに通知するためのメッセージを受信側ディスプレイ４２に表示して、オブジェクトの実寸大表示を行わない。すなわち、実寸大表示を行なう際、表示装置３において、受信側ディスプレイ４２のサイズに下限を設ける。このような構成により、実寸大表示すべきオブジェクトの一部しか画面に表示されず、ディスプレイに何が映っているのかが分からないことによってユーザが混乱することを防ぐことができる。
【０１３４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１３５】
【図１】本発明の実施の形態に係る実寸大表示システムの構成を示す機能ブロック図である。
【図２】オブジェクトを２つ含む画像データの一例を示す図である。
【図３】実寸法データの構成の一例を示す図である。
【図４】オブジェクト８を実寸大表示した状態の一例を示す図である。
【図５】オブジェクト９を実寸大表示した状態の一例を示す図である。
【図６】オブジェクト８を実寸大表示した状態の一例を示す図である。
【図７】オブジェクト９を実寸大表示した状態の一例を示す図である。
【図８】オブジェクト８を実寸大表示した状態の一例を示す図である。
【図９】画像コンテンツ生成部５の構成を示す機能ブロック図である。
【図１０】画像符号化データの一例を示す図である。
【図１１】本発明の実施の形態に係るコンテンツ配信装置が画像コンテンツを生成して配信する際の動作手順を定めたフローチャートである。
【図１２】実寸法データ取得部３２の構成を示すブロック図である。
【図１３】本発明の実施の形態に係る表示装置が対象オブジェクトを実寸大表示する際の動作手順を定めたフローチャートである。
【図１４】放送コンテンツにおける実寸法データの伝送例を示す図である。
【符号の説明】
【０１３６】
１  実寸大表示システム、２  コンテンツ配信装置、３  表示装置、４  画像データ取得部、５  画像コンテンツ生成部、６  画像コンテンツ送信部、２７  画像データ符号化部、２８  多重化部、３１  画像コンテンツ受信部、３２  実寸法データ取得部、３３  表示制御部、３４  逆多重化部、３５  オブジェクト位置指定部、３６  復号部、３７  受信側ディスプレイサイズ取得部、４１  実寸法データ取得部、４２  受信側ディスプレイ。
【図１】
2010016713.tif 000003
【図２】
2010016713.tif 000004
【図３】
2010016713.tif 000005
【図４】
2010016713.tif 000006
【図５】
2010016713.tif 000007
【図６】
2010016713.tif 000008
【図７】
2010016713.tif 000009
【図８】
2010016713.tif 000010
【図９】
2010016713.tif 000011
【図１０】
2010016713.tif 000012
【図１１】
2010016713.tif 000013
【図１２】
2010016713.tif 000014
【図１３】
2010016713.tif 000015
【図１４】
2010016713.tif 000016